(57)【要約】【課題】パーソナルコンピュータ周辺機器等の電子機器を縦置き、横置き、壁掛けのいずれでも保持することができるので使用性に優れ、同一形状の１組のスタンド部材で構成されているので共通の金型で製造でき生産性に優れるスタンドを提供することを目的とする。【解決手段】本発明のスタンドは、１組のスタンド部材１を備え、各々のスタンド部材１が、挟持部２と、挟持部２の一側面に形成された平面状の挟持面３と、挟持面３の下端部に固設された平板状の載置部４と、載置部４の上面に形成され挟持面３に対して直交した平面状の載置面５と、載置部４の挟持面３と反対側の側面に左右に形成された嵌合凸部６及び嵌合凹部７と、を備えた構成を有している。【選択図】図１
2005157834.tif 000002
【特許請求の範囲】
【請求項１】
１組のスタンド部材を備え、各々の前記スタンド部材が、挟持部と、前記挟持部の一側面に形成された平面状の挟持面と、前記挟持面の下端部に固設された平板状の載置部と、前記載置部の上面に形成され前記挟持面に対して直交した平面状の載置面と、前記載置部の前記挟持面と反対側の側面に左右に形成された嵌合凸部及び嵌合凹部と、を備えたことを特徴とするスタンド。
【請求項２】
前記挟持部に穿設された１乃至複数のビス止め孔、又は、前記挟持部の下面に形成された１乃至複数の係止孔を備えたことを特徴とする請求項１に記載のスタンド。
【請求項３】
前記載置面上に突設された１乃至複数の載置面側固定凸部を備えたことを特徴とする請求項１又は２に記載のスタンド。
【請求項４】
前記挟持面上に突設された１乃至複数の挟持面側固定凸部を備えたことを特徴とする請求項１乃至３の内いずれか１項に記載のスタンド。
【請求項５】
前記載置面の前記挟持面側の端部から前記挟持面の上部に渡って形成された開口部と、前記開口部の上端部から下方に向けて前記開口部を覆う平板状に延設され、前記挟持面と面一に形成された面に前記挟持面側固定凸部が突設された脱着レバー部と、を備えたことを特徴とする請求項４に記載のスタンド。
【請求項６】
前記嵌合凸部が、基端部側から先端部側にかけて幅方向に拡がった形状に形成され、前記嵌合凹部が、前記載置部の側面から内部にかけて幅方向に拡がった形状に形成されると共に、前記嵌合凹部が、前記載置部の上面又は下面に開放して形成されていることを特徴とする請求項１乃至５の内いずれか１項に記載のスタンド。
【請求項７】
前記嵌合凸部が、前記嵌合凸部の一側部又は両側部に基端部側から先端部側に向けて拡がるように傾斜した凸部傾斜部を備え、前記嵌合凹部が、前記嵌合凹部の内壁の一側部又は両側部に前記凸部傾斜部が当接する凹部傾斜部を備えたことを特徴とする請求項１乃至６の内いずれか１項に記載のスタンド。
【発明の詳細な説明】
【技術分野】
【０００１】
本発明は、ルータやモデム等のパーソナルコンピュータ周辺機器やパーソナルコンピュータ本体等を縦置き、横置き、或いは壁掛けで保持するスタンドに関する。
【背景技術】
【０００２】
近年、外付けのルータやモデム、或いはＣＤ−ＲＯＭドライブやＭＯドライブ等の外部記憶装置等のパーソナルコンピュータ周辺機器やパーソナルコンピュータ本体等を縦置き、横置き、或いは壁掛けで保持するスタンドが広く用いられている。
【０００３】
このようなスタンドとしては、特許文献１に「外部記憶装置の側面を載置する装置載置面と、外部記憶装置を狭着する装置狭着片と、外部記憶装置にスタンド支持面の振動が伝わるのを抑制する振動減衰用の脚部と、を備えた外部記憶装置のスタンド」が開示されている。
【特許文献１】特開平５−２６６６４３号公報
【発明の開示】
【発明が解決しようとする課題】
【０００４】
しかしながら上記従来の技術では、以下のような課題を有していた。
【０００５】
（１）特許文献１のスタンドでは、外部記憶装置を壁面に固定保持する、いわゆる壁掛けにすることができず、或いは、壁掛けにするためには別途壁掛け用の部品を準備し取り付けなければならず、パーソナルコンピュータの周辺のスペースが少ない場合等に対処し難いという課題を有していた。
【０００６】
（２）また、一対のスタンド構成部材の各々の装置載置面に長孔のビス受溝を形成し、各々のビス受溝をビスで止着しているので部品点数が増加するという課題を有していた。
【０００７】
（３）さらに、ビスを緩めてビス受孔に沿って各々の装置狭着片をスライドさせ近接或いは離間させることができるが、その離間距離は限られているため狭着できる外部周辺機器の幅は限られており、外部記憶装置を縦置きならば狭着できても横置きでは狭着できず、横置きに対応できないという課題を有していた。
【０００８】
（４）また、各々の装置載置面を上下に重ね合わせてビスで止着する構成となっているため、一対のスタンド構成部材が同一の形状を有しておらず、金型成形する場合は別々の金型を用いるので、製造コストが高騰し生産性に欠けるという課題を有していた。
【０００９】
本発明は上記従来の課題を解決するもので、パーソナルコンピュータ周辺機器等の電子機器を縦置き、横置き、壁掛けのいずれでも保持することができるので使用性に優れ、同一形状の１組のスタンド部材で構成されているので共通の金型で製造でき生産性に優れるスタンドを提供することを目的とする。
【課題を解決するための手段】
【００１０】
上記課題を解決するために、本発明のスタンドは、１組のスタンド部材を備え、各々のスタンド部材が、挟持部と、挟持部の一側面に形成された平面状の挟持面と、挟持面の下端部に固設された平板状の載置部と、載置部の上面に形成され挟持面に対して直交した平面状の載置面と、載置部の挟持面と反対側の側面に左右に形成された嵌合凸部及び嵌合凹部と、を備えた構成を有している。
【００１１】
これにより、パーソナルコンピュータ周辺機器等の電子機器を縦置き、横置き、壁掛けのいずれでも保持することができるので使用性に優れ、同一形状の１組のスタンド部材で構成されているので共通の金型で製造でき生産性に優れるスタンドを提供することができる。
【発明の効果】
【００１２】
以上説明したように本発明のスタンドによれば、以下のような有利な効果が得られる。
【００１３】
請求項１に記載の発明によれば、
（１）一方のスタンド部材の嵌合凸部を他方のスタンド部材の嵌合凹部に嵌合し、他方のスタンド部材の嵌合凸部を一方のスタンド部材の嵌合凹部に嵌合することにより、１組のスタンド部材を結合してスタンドを形成することができ、組み立て及び分離が容易であると共に強固に結合させることができるスタンドを提供することができる。
【００１４】
（２）縦にした電子機器の下端部を組み立てたスタンドの各々の挟持面の間に挿入し、各挟持面で挟持することで、電子機器を縦置きでスタンドに装着固定することができ、装着が容易で且つ安定性に優れたスタンドを提供することができる。
【００１５】
（３）縦置きに加え、スタンドを一方のスタンド部材と他方のスタンド部材に分離し、一方のスタンド部材と他方のスタンド部材を電子機器の両側部の下端部や上下部に固定することで、各々のスタンド部材で電子機器を支持又は保持し横置き又は壁掛けすることができる多用性に優れたスタンドを提供することができる。
【００１６】
（４）電子機器をスタンド部材により支持して横置きした場合、保持して壁掛けした場合は、電子機器の筐体面がスタンド載置面や壁面から載置部の高さだけ離隔するため、その筐体面に形成された放熱用の孔が塞がらず、放熱性の低下を防止できる放熱性に優れたスタンドを提供することができる。
【００１７】
（５）スタンド部材を合成樹脂により一体成形する場合は、各々のスタンド部材を共通の金型で成形できる生産性に優れたスタンドを提供することができる。
【００１８】
請求項２に記載の発明によれば、請求項１の効果に加え、
（１）各々のスタンド部材のビス止め孔にビスを挿通させビスを壁面に螺着して固定する、或いは各々の係止孔を壁面に取り付けたビスやフックに係止することで、電子機器を壁面に固定することができ、壁面への取り付け取り外しが容易なスタンドを提供することができる。
【００１９】
請求項３に記載の発明によれば、請求項１又は２の効果に加え、
（１）載置面側固定凸部を電子機器の筐体面に形成された載置面側凸部嵌入孔に嵌入させることで、電子機器をスタンドに装着固定することができ、安定して保持することができる安定性に優れたスタンドを提供することができる。
【００２０】
請求項４に記載の発明によれば、請求項１乃至３の内いずれか１項の効果に加え、
（１）挟持面側固定凸部を電子機器の筐体面に形成された挟持面側凸部嵌入孔に嵌入させることで、電子機器をスタンドに装着固定することができ、安定して保持することができ、特に壁掛け時には電子機器の脱落を防止できる安定性に優れたスタンドを提供することができる。
【００２１】
請求項５に記載の発明によれば、請求項４の効果に加え、
（１）脱着レバー部の下端部を指等で押圧するだけで、挟持面側固定凸部は挟持面側凸部嵌入孔から抜けるので、電子機器を簡単な操作で容易にスタンド又はスタンド部材から取り外すことができる操作性に優れたスタンドを提供することができる。
【００２２】
請求項６に記載の発明によれば、請求項１乃至５の内いずれか１項の効果に加え、
（１）一方のスタンド部材と他方のスタンド部材が分離する方向に嵌合凸部が嵌合凹部から抜けることがなく、強固に結合することができるスタンドを提供することができる。
【００２３】
（２）嵌合凸部を嵌合凹部に上方又は下方の開放側から嵌入することにより、スタンド部材を結合することができ、結合及び分離操作が容易で操作性に優れたスタンドを提供することができる。
【００２４】
請求項７に記載の発明によれば、請求項１乃至６の内いずれか１項の効果に加え、
（１）嵌合凸部及び嵌合凹部の一側部又は両側部に、凸部傾斜部及び凹部傾斜部が形成されているので、嵌合凸部や嵌合凹部の寸法に多少のばらつきが生じても、嵌合凸部が嵌合凹部に入らなくなったり、隙間が生じてもぐらついたりすることがない使用性に優れたスタンドを提供することができる。
【発明を実施するための最良の形態】
【００２５】
本発明は、パーソナルコンピュータ周辺機器等の電子機器を縦置き、横置き、壁掛けのいずれでも保持することができるので使用性に優れ、同一形状の１組のスタンド部材で構成されているので共通の金型で製造でき生産性に優れるスタンドを提供するという目的を、１組のスタンド部材を備え、各々のスタンド部材が、挟持部と、挟持部の一側面に形成された平面状の挟持面と、挟持面の下端部に固設された平板状の載置部と、載置部の上面に形成され挟持面に対して直交した平面状の載置面と、載置部の挟持面と反対側の側面に左右に形成された嵌合凸部及び嵌合凹部と、を備えることにより実現した。
【００２６】
上記課題を解決するためになされた第１の発明は、１組のスタンド部材を備え、各々のスタンド部材が、挟持部と、挟持部の一側面に形成された平面状の挟持面と、挟持面の下端部に固設された平板状の載置部と、載置部の上面に形成され挟持面に対して直交した平面状の載置面と、載置部の挟持面と反対側の側面に左右に形成された嵌合凸部及び嵌合凹部と、を備えた構成を有している。
【００２７】
この構成により、以下の作用を有する。
【００２８】
（１）１組のスタンド部材が各々載置部の側面に左右に形成された嵌合凸部及び嵌合凹部を備えているので、一方のスタンド部材の嵌合凸部を他方のスタンド部材の嵌合凹部に嵌合し、他方のスタンド部材の嵌合凸部を一方のスタンド部材の嵌合凹部に嵌合することにより、１組のスタンド部材を結合してスタンドを形成することができる。
【００２９】
（２）縦にした電子機器の下端部を組み立てたスタンドの各々の挟持面の間に挿入し、各挟持面で挟持することで、電子機器をスタンドに装着固定することができ、縦置きで保持することができる。
【００３０】
（３）スタンドを一方のスタンド部材と他方のスタンド部材に分離し、一方のスタンド部材を横にした電子機器の一方の側部の下端部の角部に固定し、他方のスタンド部材を電子機器の他方の側部の下端部の角部に固定することで、各々のスタンド部材で電子機器を支持してスタンド載置面に横置きに載置することができる。また、この状態で各々のスタンド部材を壁面に固定することで、電子機器を壁面に固定することができる。
【００３１】
（４）電子機器をスタンド部材により支持して横置きに載置することにより、電子機器の横置き時の下面の筐体面がスタンド載置面から載置部の高さだけ離隔するため、その筐体面に形成された放熱用の孔が塞がらず、放熱性の低下を防止できる。また、電子機器をスタンド部材により保持して壁掛けすることにより、電子機器の壁面対向面の筐体面が壁面から載置部の高さだけ離隔するため、その筐体面に形成された放熱用の孔が塞がらず、放熱性の低下を防止できる。
【００３２】
（５）１組のスタンド部材が同一形状に形成されているので、各スタンド部材をＰＳやＡＢＳ等の合成樹脂により一体成形する場合は共通の金型で成形でき生産性に優れる。
【００３３】
ここで、嵌合凸部及び嵌合凹部は載置部の側面に左右に対称となる位置に形成され、１組をスタンド部材の一方のスタンド部材の嵌合凸部が他方のスタンド部材の嵌合凹部に嵌合すると共に、一方のスタンド部材の嵌合凹部に他方のスタンド部材の嵌合凸部が嵌合するように形成されている。嵌合凸部及び嵌合凹部としては、スタンド部材を互いに結合することができるものが用いられ、例えば、先端部側が拡がった形状の嵌合凸部と奥手側が拡がった形状の嵌合凹部や、雄型の嵌合凸部と雌型の嵌合凹部等が用いられる。
【００３４】
上記課題を解決するためになされた第２の発明は、第１の発明に記載のスタンドであって、挟持部に穿設された１乃至複数のビス止め孔、又は、挟持部の下面に形成された１乃至複数の係止孔を備えた構成を有している。
【００３５】
この構成により、第１の発明の作用に加え、以下の作用を有する。
【００３６】
（１）一方のスタンド部材を縦にした電子機器の下面の一側部の角部に固定し、他方のスタンド部材を電子機器の上面の一側部の角部に固定し、各々のスタンド部材の下面を壁面に当接させ、各々のビス止め孔にビスを挿通させビスを壁面に螺着して固定する、或いは各々の係止孔を壁面に取り付けたビスやフックに係止することで、電子機器を壁面に固定することができる。
【００３７】
上記課題を解決するためになされた第３の発明は、第１又は第２の発明に記載のスタンドであって、載置面上に突設された１乃至複数の載置面側固定凸部を備えた構成を有している。
【００３８】
この構成により、第１又は第２の発明の作用に加え、以下の作用を有する。
【００３９】
（１）載置面上に突設された１乃至複数の載置面側固定凸部を備えているので、電子機器をスタンドに縦に装着する場合は、縦にした電子機器の下端部を組み立てたスタンドの各挟持面の間に挿入し、載置面側固定凸部を電子機器の下部の筐体面に形成された載置面側凸部嵌入孔に嵌入させることで、電子機器をスタンドに装着固定することができる。
【００４０】
（２）電子機器をスタンド載置面に横置きに載置する場合、或いは、電子機器を壁掛けする場合は、一方のスタンド部材の載置面側固定凸部を電子機器の横置き時の下面或いは壁掛け時の壁面対向面の筐体面に穿設された載置面側凸部嵌入孔に嵌入することで、一方のスタンド部材を電子機器に装着固定することでき、さらに、他方のスタンド部材の載置面側固定凸部を電子機器の横置き時の下面或いは壁掛け時の壁面対向面の筐体面に穿設された載置面側凸部嵌入孔に嵌入することで、他方のスタンド部材を電子機器に装着固定することができる。
【００４１】
上記課題を解決するためになされた第４の発明は、第１乃至第３の発明の内いずれか１に記載のスタンドであって、挟持面上に突設された１乃至複数の挟持面側固定凸部を備え
た構成を有している。
【００４２】
この構成により、第１乃至第３の発明の内いずれか１の作用に加え、以下の作用を有する。
【００４３】
（１）挟持面上に突設された１乃至複数の挟持面側固定凸部を備えているので、電子機器をスタンドに縦に装着する場合は、縦にした電子機器の下端部を組み立てたスタンドの各挟持面の間に挿入し、挟持面側固定凸部を電子機器の両側部の筐体面に形成された挟持面側凸部嵌入孔に嵌入させることで、電子機器をスタンドに装着固定することができる。
【００４４】
（２）電子機器をスタンド載置面に横置きに載置する場合、或いは、電子機器を壁掛けする場合は、各々のスタンド部材の挟持面側固定凸部を電子機器の横置き時の各々の側部或いは壁掛け時の上下面の筐体面に穿設された挟持面側凸部嵌入孔に嵌入することで、電子機器を各々のスタンド部材に装着固定することできる。
【００４５】
上記課題を解決するためになされた第５の発明は、第４の発明に記載のスタンドであって、載置面の挟持面側の端部から挟持面の上部に渡って形成された開口部と、開口部の上端部から下方に向けて開口部を覆う平板状に延設され、挟持面と面一に形成された面に挟持面側固定凸部が突設された脱着レバー部と、を備えた構成を有している。
【００４６】
この構成により、第４の発明の作用に加え、以下の作用を有する。
【００４７】
（１）挟持面側固定凸部が突設された脱着レバー部を備えているので、スタンド部材の下面側から脱着レバー部の下端部を指等で挟持部側に押圧し、挟持面側固定凸部を挟持面に対して面一又は陥没させることで、挟持面側固定凸部は挟持面側凸部嵌入孔から抜けるので、電子機器を簡単な操作で容易にスタンド又はスタンド部材から取り外すことができる。
【００４８】
（２）電子機器をスタンドに縦置きに装着する場合、縦にした電子機器の下端部を各々のスタンド部材の挟持面の間に挿入する。このとき、電子機器の両側部の筐体面は、挟持面に沿って挿入され、各筐体面の下端部は脱着レバー部に突設された挟持面側固定凸部を押圧する。これにより、脱着レバー部は弾性的に曲がって挟持面側固定凸部は陥没し、さらに電子機器を挿入すると、脱着レバー部は復元して挟持面側固定凸部は筐体面の挟持面側凸部嵌入孔に嵌入するので、電子機器をスタンドに装着固定することができる。
【００４９】
上記課題を解決するためになされた第６の発明は、第１乃至第５の発明の内いずれか１に記載のスタンドであって、嵌合凸部が、基端部側から先端部側にかけて水平方向に拡がった形状に形成され、嵌合凹部が、載置部の側面から内部にかけて水平方向に拡がった形状に形成されると共に、嵌合凹部が、載置部の上面又は下面に開放して形成された構成を有している。
【００５０】
この構成により、第１乃至第５の発明の内いずれか１の作用に加え、以下の作用を有する。
【００５１】
（１）嵌合凸部が基端部側から先端部側にかけて幅方向に拡がった形状に形成され、嵌合凹部が嵌合凸部が嵌合するように載置部の側面から内部にかけて同様に幅方向に拡がった形状に形成されているので、一方のスタンド部材と他方のスタンド部材が分離する方向に嵌合凸部が嵌合凹部から抜けることがなく、強固に結合することができる。
【００５２】
（２）嵌合凹部が載置部の上面又は下面に開放して形成されているので、一方のスタン
ド部材の嵌合凸部を他方のスタンド部材の嵌合凹部の上方又は下方の開放側から嵌入し、他方のスタンド部材の嵌合凸部を一方のスタンド部材の嵌合凹部に上方又は下方の開放側から嵌入することにより、スタンド部材を結合することができ、結合及び分離操作が容易で操作性に優れる。
【００５３】
ここで、嵌合凸部及び嵌合凹部の形状としては、基端部側から先端部側にかけて拡がった略台形状や、湾曲して拡がった断面半円状や断面円形状等が用いられる。
【００５４】
上記課題を解決するためになされた第７の発明は、第１乃至第６の発明の内いずれか１に記載のスタンドであって、嵌合凸部が、嵌合凸部の一側部又は両側部に基端部側から先端部側に向けて拡がるように傾斜した凸部傾斜部を備え、嵌合凹部が、嵌合凹部の内壁の一側部又は両側部に凸部傾斜部が当接する凹部傾斜部を備えた構成を有している。
【００５５】
この構成により、第１乃至第６の発明の内いずれか１の作用に加え、以下の作用を有する。
【００５６】
（１）嵌合凸部及び嵌合凹部の一側部又は両側部に、凸部傾斜部及び凹部傾斜部が形成されているので、嵌合凸部や嵌合凹部の寸法に多少のばらつきが生じても、嵌合凸部が嵌合凹部に入らなくなったり、隙間が生じてもぐらついたりすることがなく、使用性に優れる。
【００５７】
（実施の形態１）
以下、本発明の実施の形態について、各図に基づいて説明する。
【００５８】
図１（ａ）は本実施の形態１におけるスタンドのスタンド部材の平面図であり、図１（ｂ）は本実施の形態１におけるスタンドのスタンド部材の正面図であり、図１（ｃ）は本実施の形態１におけるスタンドのスタンド部材の側面図であり、図２（ａ）は図１（ａ）のＡ−Ａ線の矢視断面図であり、図２（ｂ）は図１（ａ）のＢ−Ｂ線の矢視断面図である。
【００５９】
図中、１はスタンド部材、２は一方の面に挟持面３が形成され、他方の面は上部から下部に傾斜すると共に左右に湾曲した湾曲傾斜面２ａが形成された挟持部、３は挟持部２の下面に対して直交した平面状の挟持面、４は平板状に形成され一側部が挟持面の下端部に一体形成された載置部、５は載置部４の上面に形成され挟持面３に対して直交した平面状の載置面、６は載置部４の挟持部２の反対側の側面の一端側に突設された嵌合凸部、６ａは嵌合凸部６の一側部に基端部側から先端部側に向けて拡がるように傾斜して形成された凸部傾斜部、７は載置部４の側面の嵌合凸部６の反対側の他端側に穿設された嵌合凹部、７ａは嵌合凹部７の内壁の凸部傾斜部６ａが当接する面に凸部傾斜部６ａに対応して形成された凹部傾斜部、８は挟持部２の湾曲傾斜面２ａに穿設された貫通孔８ａの底部に形成され挟持部２の下面に連通したビス止め孔、９は載置面５上の両側部に突設された載置面側固定凸部、１０は載置面５の挟持面３側の端部中央部から挟持面３の上端部近傍に渡って開口形成された開口部、１１は開口部１０の上端部から下方に向けて開口部１０を覆う平板状に延設された脱着レバー部、１２は脱着レバー部１１の挟持面３と面一の面の略中央部に突設され上部が傾斜した挟持面側固定凸部である。
【００６０】
ここで、スタンド部材１は金型成形により一体形成されたＰＳやＡＢＳ等の合成樹脂により形成されている。
【００６１】
嵌合凸部６の下面は載置部４の下面と面一に形成されている。嵌合凹部７は載置部４の側面及び下面側に渡って開放して形成されている。嵌合凹部７は嵌合凸部６が嵌合するよ
うに略同一形状に形成されている。
【００６２】
脱着レバー部１１は所定の厚みを有する平板状に形成され、その下端部は載置部４の下面近傍まで延びている。脱着レバー部１１の下端部を挟持部２側に指等で押圧することにより、脱着レバー部１１は弾性的に曲がり、挟持面側固定凸部１２の先端部は挟持面３に対して面一又は陥没する。指を離すと脱着レバー部１１は復元して挟持面側固定凸部１２は挟持面３に対して突出する。
【００６３】
以上のように構成された本実施の形態１におけるスタンドのスタンド部材１について、以下その組み立て方法及び縦置き時の使用方法を図面を用いて説明する。
【００６４】
図３は１組のスタンド部材の各々の嵌合凸部及び嵌合凹部の嵌合動作を示す要部斜視図であり、図４は組み立てられたスタンドの平面図であり、図５は電子機器の縦置き時のスタンドの使用状態を示す要部断面図である。
【００６５】
図中、１′はスタンド部材１と同一のスタンド部材、６′はスタンド部材１′の嵌合凸部、６ａ′は嵌合凸部６′の凸部傾斜部、７′はスタンド部材１′の嵌合凹部、７ａ′は嵌合凹部７′の凹部傾斜部である。なお、図３においては、説明を分かり易くするために載置面側固定凸部９は省略している。
【００６６】
図４及び図５において、２１はスタンド、２２はスタンド２１に縦に装着されたルータやモデム等のパーソナルコンピュータ周辺機器である電子機器、２３，２４は電子機器２２を縦置きしたときにスタンド２１に挟持される両側面となる筐体面、２５，２６は電子機器２２を縦置きしたときに上面及び下面となる筐体面、２７ａ，２７ｂは筐体面２３に穿設された載置面側凸部嵌入孔、２８は筐体面２３の挟持面側固定凸部１２に対応する位置に穿設された挟持面側凸部嵌入孔、２９ａ，２９ｂは筐体面２４に穿設された載置面側凸部嵌入孔、３０は筐体面２４の挟持面側固定凸部１２に対応する位置に穿設された挟持面側凸部嵌入孔、３１ａ，３１ｂは筐体面２５に穿設された挟持面側凸部嵌入孔、３２ａ，３２ｂは筐体面２６の載置面側固定凸部９に対応する位置に穿設された載置面側凸部嵌入孔、３３ａ，３３ｂは筐体面２６に穿設された挟持面側凸部嵌入孔、Ｘはスタンド２１が載置されるスタンド載置面である。
【００６７】
図３に示すように、１組のスタンド部材１，１′を準備し、各々の載置部４の側面を対面させて、スタンド部材１の嵌合凸部６とスタンド部材１′の嵌合凹部７′、及び、スタンド部材１の嵌合凹部７とスタンド部材１′の嵌合凸部６′を向き合わせる。続いて、嵌合凸部６を嵌合凹部７′に下方から挿入し嵌合すると共に、嵌合凸部６′を嵌合凹部７に下方から挿入し嵌合する。このようにして、図４に示すスタンド２１が組み立てられる。嵌合凸部６及び嵌合凸部６′は先端部側又は奥手側が幅方向に拡がっているため水平方向に抜けることはない。また、嵌合凸部６，６′及び嵌合凹部７，７′には、凸部傾斜部６ａ，６ａ′及び凹部傾斜部７ａ，７ａ′が形成されているので、嵌合凸部６，６′や嵌合凹部７，７′の寸法に多少のばらつきが生じても、嵌合凸部６，６′が嵌合凹部７，７′に入らなくなったり、ぐらついたりすることがない。なお、嵌合凸部６，６′及びそれに対応する嵌合凹部７，７′の形状としては、両側部に凸部傾斜部６ａ，６ａ′、凹部傾斜部７ａ，７ａ′が形成された略台形状や、基端部側から先端部側にかけて湾曲して拡がった断面半円状や断面円形状等が用いられ、いずれも寸法のばらつきに対応できる。
【００６８】
図５に示すように、電子機器２２をスタンド２１に縦置きに装着するには、まず、縦にした電子機器２２の下部すなわち筐体面２６側の端部を各々のスタンド部材１，１′の挟持面３の間に挿入する。このとき、筐体面２３，２４の下端部は、挟持面３に沿って挿入され、脱着レバー部１１に突設された挟持面側固定凸部１２の上部の傾斜面に当接しなが
らこれを押圧する。これにより、脱着レバー部１１は弾性的に曲がって挟持面側固定凸部１２は陥没する。さらに電子機器２２を挿入し、筐体面２６が載置面５に当接すると、挟持面側固定凸部１２は筐体面２３，２４の挟持面側凸部嵌入孔２８，３０に嵌入する。また、筐体面２６が載置面５に当接すると、載置面５に突設された載置面側固定凸部９は筐体面２６に形成された載置面側凸部嵌入孔３２ａ，３２ｂに嵌入する。このようにして、電子機器２２はスタンド２１に装着され縦置きで保持される。
【００６９】
なお、電子機器２２をスタンド２１から取り外すには、スタンド２１の下面側から脱着レバー部１１の下端部を指等で挟持部２側に押圧することにより挟持面側固定凸部１２を挟持面３に対して面一又は陥没させる。これにより、挟持面側固定凸部１２は挟持面側凸部嵌入孔２８，３０から抜けるので、電子機器２２を上方へ引き上げることによりスタンド２１から取り外すことができる。
【００７０】
次に壁掛け時の使用方法及び横置き時の使用方法について、図面を用いて説明する。
【００７１】
図６は電子機器の壁掛け時のスタンドの使用状態を示す要部断面図であり、図７は電子機器の横置き時のスタンドの使用状態を示す要部断面図である。
【００７２】
図６において、３５はビス、Ｙは壁面である。
【００７３】
図６に示すように、電子機器２２を壁面Ｙに壁掛けするには、まず、スタンド２１をスタンド部材１とスタンド部材１′に分離し、電子機器２２の下部側の筐体面２６にスタンド部材１の挟持面３を当接させ、筐体面２４に載置面５を当接させ、筐体面２６に穿設された挟持面側凸部嵌入孔３３ｂに挟持面側固定凸部１２を嵌入し、筐体面２４に穿設された載置面側凸部嵌入孔２９ｂに載置面側固定凸部９を嵌入し、スタンド部材１を電子機器２２の下端部の筐体面２６と筐体面２４の角部に固定する。さらに、電子機器２２の上部側の筐体面２５にスタンド部材１′の挟持面３を当接させ、筐体面２４に載置面５を当接させ、筐体面２５に穿設された挟持面側凸部嵌入孔３１ｂに挟持面側固定凸部１２を嵌入し、筐体面２４に穿設された載置面側凸部嵌入孔２９ａに載置面側固定凸部９を嵌入し、スタンド部材１′を電子機器２２の上端部の筐体面２５と筐体面２４の角部に固定する。この状態で、スタンド部材１，１′を壁面Ｙに当接させ、各々の貫通孔８ａ及びビス止め孔８にビス３５を挿通させ、ビス３５を壁面Ｙに螺着して固定する。このようにして電子機器２２の上下部の筐体面２５，２６がスタンド部材１，１′の挟持面３で挟持されて電子機器２２が壁面Ｙに壁掛けされる。なお、貫通孔８ａ及びビス止め孔８は貫通しない係止孔（図示せず）であってもよく、壁面Ｙにビスやフック等を予め固定しておき、そのビスやフックに係止孔を係止することもできる。
【００７４】
また、図７に示すように、電子機器２２をスタンド部材１，１′で支持し、横置きでスタンド載置面Ｘに載置するには、壁掛け時と同様にしてスタンド部材１，１′を電子機器２２の上下部に固定した状態で、電気機器２２を筐体面２３が上面となるように横にし、スタンド部材１，１′の下面をスタンド載置面Ｘに当接させ、横置きで載置する。
【００７５】
以上のように本実施の形態１におけるスタンド２１は構成されているので、以下のような作用を有する。
【００７６】
（１）１組のスタンド部材１，１′の各々の載置部４の側面を対面させ、スタンド部材１の嵌合凸部６をスタンド部材１′の嵌合凹部７′に下方から嵌入し、スタンド部材１′の嵌合凸部６′をスタンド部材１の嵌合凹部７に下方から嵌入することにより、スタンド２１を組み立てることができる。嵌合凸部６，６′は先端部側が拡がった形状に形成されているため、嵌合凹部７，７′から水平方向に抜けることはなく、スタンド部材１，１′
を互いに確実に固定することができる。
【００７７】
（２）嵌合凸部６，６′及び嵌合凹部７，７′の一側部又は両側部には、凸部傾斜部６ａ，６ａ′及び凹部傾斜部７ａ，７ａ′が形成されているので、嵌合凸部６，６′や嵌合凹部７，７′の寸法に多少のばらつきが生じても、嵌合凸部６，６′が嵌合凹部７，７′に入らなくなったり、ぐらついたりすることがなく、使用性に優れる。
【００７８】
（３）電子機器２２をスタンド２１に縦に装着し、スタンド載置面Ｘに縦置きに載置するには、縦にした電子機器２２の下部を組み立てたスタンド２１の各挟持面３の間に挿入し、挟持面側固定凸部１２を筐体面２３，２４の挟持面側凸部嵌入孔２８，３０に嵌入させ、また、載置面側固定凸部９を筐体面２６に形成された載置面側凸部嵌入孔３２ａ，３２ｂに嵌入させることで、電子機器２２をスタンド２１に装着固定することができ、縦置きで保持することができる。
【００７９】
（４）電子機器２２をスタンド２１に横置きに装着し、スタンド載置面Ｘに横置きに載置するには、スタンド２１をスタンド部材１とスタンド部材１′に分離し、スタンド部材１の挟持面側固定凸部１２を筐体面２６に穿設された挟持面側凸部嵌入孔３３ｂに嵌入し、載置面側固定凸部９を筐体面２４に穿設された載置面側凸部嵌入孔２９ｂに嵌入し、スタンド部材１を電子機器２２に固定する。さらに、スタンド部材１′の挟持面側固定凸部１２を筐体面２５に穿設された挟持面側凸部嵌入孔３１ｂに嵌入し、載置面側固定凸部９を筐体面２４に穿設された載置面側凸部嵌入孔２９ａに嵌入し、スタンド部材１′を電子機器２２に固定する。この状態で、スタンド部材１，１′の下面をスタンド載置面Ｘに当接させ横置きに載置することができる。
【００８０】
（５）電子機器２２をスタンド２１に装着し壁面Ｙに壁掛けにするには、スタンド２１をスタンド部材１とスタンド部材１′に分離し、スタンド部材１の挟持面側固定凸部１２を筐体面２６に穿設された挟持面側凸部嵌入孔３３ｂに嵌入し、載置面側固定凸部９を筐体面２４に穿設された載置面側凸部嵌入孔２９ｂに嵌入し、スタンド部材１を電子機器２２に固定する。さらに、スタンド部材１′の挟持面側固定凸部１２を筐体面２５に穿設された挟持面側凸部嵌入孔３１ｂに嵌入し、載置面側固定凸部９を筐体面２４に穿設された載置面側凸部嵌入孔２９ａに嵌入し、スタンド部材１′を電子機器２２に固定する。この状態で、スタンド部材１，１′の下面を壁面Ｙに当接させ、各々の貫通孔８ａ及びビス止め孔８にビス３５を挿通させ、ビス３５を壁面Ｙに螺着して固定することにより、電子機器２２をスタンド２１に装着し壁面Ｙに固定することができる。
【００８１】
（６）電子機器２２をスタンド部材１，１′により保持して横置きに載置することにより、電子機器２２の横置き時の下面となる筐体面２４がスタンド載置面Ｘから載置部４の高さだけ離隔するため、筐体面２４に形成された放熱用の孔が塞がらず、放熱性の低下を防止できる。また、電子機器２２をスタンド部材１，１′により保持して壁掛けすることにより、電子機器２２の壁面Ｙ側の面である筐体面２４が壁面Ｙから載置部４の高さだけ離隔するため、筐体面２４に形成された放熱用の孔が塞がらず、放熱性の低下を防止できる。
【００８２】
（７）挟持面３に形成された開口部１０を覆うように下方に延設され挟持面側固定凸部１２が突設された平板状の脱着レバー部１１を備えているので、スタンド２１の下面側から脱着レバー部１１の下端部を指等で挟持部２側に押圧し、挟持面側固定凸部１２を挟持面３に対して面一又は陥没させることで、挟持面側固定凸部１２は挟持面側凸部嵌入孔２８，３０から抜けるので、電子機器２２を簡単な操作で容易にスタンド２１又はスタンド部材１，１′から取り外すことができる。
【産業上の利用可能性】
【００８３】
本発明は、ルータやモデム等のパーソナルコンピュータ周辺機器やパーソナルコンピュータ本体等の電子機器を保持するスタンドスタンドに関し、特に、本発明によれば、電子機器を縦置き、横置き、壁掛けのいずれでも保持することができるので使用性に優れ、同一形状の１組のスタンド部材で構成されているので共通の金型で製造でき生産性に優れるスタンドを提供することができる。
【図面の簡単な説明】
【００８４】
【図１】（ａ）本実施の形態１におけるスタンドのスタンド部材の平面図、（ｂ）本実施の形態１におけるスタンドのスタンド部材の正面図、（ｃ）本実施の形態１におけるスタンドのスタンド部材の側面図
【図２】（ａ）図１（ａ）のＡ−Ａ線の矢視断面図、（ｂ）図１（ａ）のＢ−Ｂ線の矢視断面図
【図３】１組のスタンド部材の各々の嵌合凸部及び嵌合凹部の嵌合動作を示す要部斜視図
【図４】組み立てられたスタンドの平面図
【図５】電子機器の縦置き時のスタンドの使用状態を示す要部断面図
【図６】電子機器の壁掛け時のスタンドの使用状態を示す要部断面図
【図７】電子機器の横置き時のスタンドの使用状態を示す要部断面図
【符号の説明】
【００８５】
１，１′    スタンド部材
２    挟持部
２ａ    湾曲傾斜面
３    挟持面
４    載置部
５    載置面
６，６′    嵌合凸部
６ａ，６ａ′    凸部傾斜部
７，７′    嵌合凹部
７ａ，７ａ′    凹部傾斜部
８    ビス止め孔
８ａ    貫通孔
９    載置面側固定凸部
１０    開口部
１１    脱着レバー部
１２    挟持面側固定凸部
２１    スタンド
２２    電子機器
２３，２４，２５，２６    筐体面
２７ａ，２７ｂ，２９ａ，２９ｂ，３２ａ，３２ｂ    載置面側凸部嵌入孔
２８，３０，３１ａ，３１ｂ，３３ａ，３３ｂ    挟持面側凸部嵌入孔
３５    ビス
Ｘ    スタンド載置面
Ｙ    壁面
【図１】
2005157834.tif 000003
【図２】
2005157834.tif 000004
【図３】
2005157834.tif 000005
【図４】
2005157834.tif 000006
【図５】
2005157834.tif 000007
【図６】
2005157834.tif 000008
【図７】
2005157834.tif 000009